(57)【要約】【課題】モータのハウジングへの組み付けを簡略化して、生産性の向上やコスト低減を達成する。【解決手段】グラインダ１において、整流子モータ３が収容されるモータハウジング２を、固定子５の外周位置で軸方向の前後に分割して前ハウジング１４と後ハウジング１５とで構成し、固定子５を後ハウジング１５へのみ圧入すると共に、前ハウジング１４から固定子５を挟んで後ハウジング１５へのネジ止めを行うことで、固定子５をモータハウジング２に組み付け可能とした。【選択図】図１
2007152479.tif 000002
【特許請求の範囲】
【請求項１】
筒状のハウジング内に収容したモータの固定子を、前記ハウジングへの挿入と前記ハウジングへのネジ止めとによって固定してなる電動工具であって、
前記ハウジングを、前記固定子の外周位置で軸方向の前後に分割して、前記固定子を前後何れか一方側の分割ハウジングへのみ挿入し、他方側の分割ハウジングから前記固定子を挟んで前記一方側の分割ハウジングへネジ止めを行うことで、前記固定子を固定したことを特徴とする電動工具。
【請求項２】
前後何れか一方側の分割ハウジングにおける分割側の端部に、対向する他方側の分割ハウジングの端部に外装される延設部を形成した請求項１に記載の電動工具。
【請求項３】
分割ハウジングの少なくとも一方がハンドルと兼用される請求項１又は２に記載の電動工具。
【発明の詳細な説明】
【技術分野】
【０００１】
本発明は、駆動源となるモータを筒状のハウジング内に収容したグラインダ等の電動工具に関する。
【背景技術】
【０００２】
グラインダ等の電動工具においては、筒状のモータハウジング内にモータを収容している（例えば特許文献１参照）。このモータのモータハウジングへの具体的な組み付けは、まずモータハウジングにモータの固定子（フィールド）を圧入治具（プレス）を用いて圧入した後、固定子をモータハウジングにネジ止めし、最後に回転子を組み付ける手順となっている。
【０００３】
【特許文献１】特開２００１−９７５７号公報
【発明の開示】
【発明が解決しようとする課題】
【０００４】
このように圧入治具を用いることで、製品の組み付け作業に手間や時間がかかり、生産性向上の妨げになる上、コストアップにも繋がっていた。
【０００５】
そこで、本発明は、モータのハウジングへの組み付けを簡略化して、生産性の向上やコスト低減が好適に期待できる電動工具を提供することを目的としたものである。
【課題を解決するための手段】
【０００６】
上記目的を達成するために、請求項１に記載の発明は、ハウジングを、モータの固定子の外周位置で軸方向の前後に分割して、固定子を前後何れか一方側の分割ハウジングへのみ挿入し、他方側の分割ハウジングから固定子を挟んで一方側の分割ハウジングへネジ止めを行うことで、固定子を固定したことを特徴とするものである。
請求項２に記載の発明は、請求項１の目的に加えて、ハウジングを分割しても見栄えや使用感を損なわないようにするために、前後何れか一方側の分割ハウジングにおける分割側の端部に、対向する他方側の分割ハウジングの端部に外装される延設部を形成したものである。
請求項３に記載の発明は、請求項１又は２の目的に加えて、分割ハウジングを合理的に利用するために、分割ハウジングの少なくとも一方をハンドルと兼用したものである。
【発明の効果】
【０００７】
請求項１に記載の発明によれば、圧入治具を用いることなくモータの組み付けが可能となり、製造作業に係る手間や時間の短縮化が図られる。而も、固定子の取付用のネジを分割ハウジングの組み付けにも利用しているため、ハウジングを分割しても組み付け用の部品点数や手間が増えることがなく、作業の簡略化は維持可能となる。よって、生産性が向上する上、製造コストの低減も期待できる。
請求項２に記載の発明によれば、請求項１の効果に加えて、ハウジングの分割部分が外に表れることがなく、見栄えの良さを維持できる。また、ハウジングを把持する際にも使用感を損なうことがない。
請求項３に記載の発明によれば、請求項１又は２の効果に加えて、分割ハウジングをハンドルとして合理的に利用可能となる。
【発明を実施するための最良の形態】
【０００８】
以下、本発明の実施の形態を図面に基づいて説明する。
図１は、電動工具の一例であるグラインダの縦断面図、図２は平面図で、グラインダ１は、整流子モータ３を収容したモータハウジング２の前方（図１の左側）に、整流子モータ３の回転子４を軸支する軸受プレート６を介してギヤハウジング７を、後方にリヤカバー８を組み付けてなる。ここではモータハウジング２、リヤカバー８が合成樹脂製で、ギヤハウジング７が金属製となっている。
ギヤハウジング７内では、ギヤハウジング７内に突出する回転子４の出力軸９と直交状にスピンドル１０が軸支されて、出力軸９の先端に固着された第１ベベルギヤ１１と、スピンドル１０へ一体に固着された第２ベベルギヤ１２との噛合により、出力軸９の回転をスピンドル１０へ伝達可能となっている。ギヤハウジング７の下方へ突出するスピンドル１０の下端には、円盤状砥石１３が直交状に装着されている。
【０００９】
モータハウジング２は、固定子５の後方寄りの外周位置で前後に分割され、固定子５の大部分を前方から収容する一方側の分割ハウジングとしての前ハウジング１４と、固定子５の後端部分が圧入される他方側の分割ハウジングとしての後ハウジング１５とから形成されている。前ハウジング１４は、前端が軸受プレート６を介してギヤハウジング７に前方からネジ止めされるもので、その側面には、連結バー１７によってリヤカバー８内に収容された図示しないスイッチと連結されるスライドボタン１６が設けられて、前ハウジング１４を把持した状態でスライドボタン１６をスライド操作することで、整流子モータ３のＯＮ／ＯＦＦ制御が可能となっている。また、前ハウジング１４の内周には、固定子５を固定するネジ１８の受座１９，１９・・が突設されている。
【００１０】
一方、後ハウジング１５は、前ハウジング１４に連結されるリング状の連結部２０と、連結部２０の後方中央に連設されて回転子４の後端を軸支する軸支部２１とを有しており、前ハウジング１４の受座１９の前方から固定子５に挿通させたネジ１８の先端を連結部２０にねじ込み可能となっている。連結部２０の後面には、回転子４の整流子２２に摺接するカーボンブラシを保持した一対のブラシホルダ２３，２３が設けられている。２４は、後ハウジング１５の軸支部２１から後方に突設されてリヤカバー８のネジ止めに用いられるネジ受け部である。
そして、前ハウジング１４の後端には、後ハウジング１５の連結部２０の前端と対向する段部２５と、連結部２０の前端外周部分を覆ってリヤカバー８の前端と当接する延設部２６とが周設されている。
【００１１】
以上の如く構成されたグラインダ１においては、モータハウジング２に整流子モータ３を組み付ける際には、まず後ハウジング１５の連結部２０に固定子５の後端を人手でできる程度に軽く押し込んで位置決めする。次に固定子５の前方に前ハウジング１４を外装し、ネジ１８を受座１９の前方から固定子５に挿通させて連結部２０にねじ込む。すると、ネジ１８のねじ込みと共に固定子５が連結部２０へ完全に圧入されて受座１９と連結部２０との間で挟持固定されると共に、前ハウジング１４と後ハウジング１５とがネジ１８によって一体化される。後は回転子４やギヤハウジング７、リヤカバー８を通常の組み付け手順で組み付ければよい。
【００１２】
このように、上記形態のグラインダ１によれば、モータハウジング２を、固定子５の外周位置で軸方向の前後に分割して、固定子５を後ハウジング１５へのみ圧入し、前ハウジング１４から固定子５を挟んで後ハウジング１５へネジ止めを行うことで、固定子５を固定したことで、圧入治具を用いることなく整流子モータ３の組み付けが可能となり、製造作業に係る手間や時間の短縮化が図られる。而も、固定子５の取付用のネジ１８を前後ハウジング１４，１５の組み付けにも利用しているため、モータハウジング２を分割しても組み付け用の部品点数や手間が増えることがなく、作業の簡略化は維持可能となる。よって、生産性が向上する上、製造コストの低減も期待できる。
【００１３】
特に、前ハウジング１４における分割側の端部に、対向する後ハウジング１５の端部に外装される延設部２６を形成したことで、モータハウジング２の分割部分が外に表れることがなく、見栄えの良さを維持できる。また、モータハウジング２を把持する際にも使用感を損なうことがない。
さらに、モータハウジング２の前ハウジング１４をハンドルと兼用しているため、前ハウジング１４の合理的な利用が可能となり、グラインダ１を操作性よく使用できる。
【００１４】
なお、分割ハウジングの圧入側は上記形態のように後方側に限定するものではなく、前方側へ圧入してもよいが、上記形態のように圧入部分が少なくなる設定とすれば、組み付けが容易となる。但し、固定子の軸方向の長さ等によって組み付け時の負荷が少なければ、例えば固定子の中央で分割する等、圧入部分を多くする設定も可能である。よって、ハンドルとして兼用する分割ハウジングも後側でもよいし両方でもよい。
また、分割ハウジング同士のねじ込み方向も、後側からねじ込むものであっても差し支えないし、ネジ止めに利用する受座や雌ネジ部等の構造も適宜変更可能である。
さらに、延設部は、上記形態では前ハウジングに設けているが、後ハウジングに設けることもできる。勿論見栄えや使用感に問題がなければ延設部をなくして単純な端部同士の突き合わせとしてもよい。
【００１５】
一方、分割されるハウジングは合成樹脂製に限らず、金属製であってもよいが、吸水誤差が生じやすい合成樹脂製の方が本発明の対象としては好ましいと言える。
また、固定子は一方側の分割ハウジングへ必ずしも圧入するものに限らず、ハウジングの材質等によっては単なる挿入としても本発明の効果は維持できる。
その他、電動工具としてはグラインダに限らず、筒状のハウジングにモータ（これも整流子モータに限らない。）を収容するものであれば、サンダ等の他の種類にも本発明は適用可能である。
【図面の簡単な説明】
【００１６】
【図１】グラインダの縦断面図である。
【図２】グラインダの平面図である。
【符号の説明】
【００１７】
１・・グラインダ、２・・モータハウジング、３・・整流子モータ、４・・回転子、５・・固定子、７・・ギヤハウジング、８・・リヤカバー、１３・・円盤状砥石、１４・・前ハウジング、１５・・後ハウジング、１８・・ネジ、１９・・受座、２０・・連結部、２１・・軸支部、２５・・段部、２６・・延設部。
【図１】
2007152479.tif 000003
【図２】
2007152479.tif 000004